(57)【要約】
【課題】荷重が肩に集中的にかからない肩ベルトを提供する。
【解決手段】肩ベルト１は、一対の肩ベルトパーツ２の各先端部を、互いに重なり合って中央部分は水平方向にずれるよう設けた二本の連繋ベルト３で連繋してなる。各連繋ベルト３、３ｂは、外側に湾曲形成するとともに、パッドを設ける。例えば、この肩ベルト１を子守帯に適用した場合は、使用者の肩先端部分が両連繋ベルト３ａ，３ｂの間に入り、各連繋ベルト３あ、３ｂが上腕と肩に掛かる状態となるので、保護者の肩からずれ落ちないうえ、上腕と肩の二箇所で支持するので荷重が分散するとともに、連繋ベルト３ａ，３ｂにパッドを設けたので、肩や上腕に食い込みにくい。
【選択図】図１
0003099536.tif 000002
【実用新案登録請求の範囲】
【請求項１】
　一対の肩ベルトパーツの各先端部を、互いに重なり合って中央部分は水平方向にずれるよう設けた二本の連繋ベルトで連繋してなる肩ベルト。
【請求項２】
　一対の肩ベルトパーツの各先端部を、互いに重なり合って中央部分は水平方向にずれるよう設けた二本の連繋ベルトで連繋してなる肩ベルトであって、各連繋ベルトは、外側に湾曲形成するとともに、袋状となし、その内側にパッドを設けたことを特徴とする肩ベルト。
【請求項３】
　一本の肩ベルトパーツの、使用者の肩に掛かる部分に対応位置して、肩ベルトパーツと少なくとも両端部で重なり合って、中央部分では水平方向にずれるよう補助ベルトの両端を前記肩ベルトパーツに縫合してなる肩ベルト。
【考案の詳細な説明】
【技術分野】
【０００１】
　本考案は、子守帯やバッグなどの肩ベルトに係り、特に、斜め掛けに一方の肩に掛けて使用するものに関する。
【背景技術】
【０００２】
　従来の、斜め掛けに一方の肩に掛けて使用する肩ベルトは、使用者の肩に当たる部分に、パッドを縫合したり移動可能に挿通して取り付けたものが一般的であった。
【特許文献１】特開２００１−０７８８５７号公報
【考案の開示】
【考案が解決しようとする課題】
【０００３】
　従来のこの種肩ベルトは、斜め掛けに一方の肩に掛けると、肩からずれ落ちたり、荷重が肩に集中的にかかって使用者に苦痛を与えるという不都合があった。本考案は前記不都合を解消することを課題とし、該課題を解決した肩ベルトを提供することを目的とする。
【課題を解決するための手段】
【０００４】
　上記目的を達成するために、請求項１に記載の本考案は、一対の肩ベルトパーツの各先端部を、互いに重なり合って中央部分は水平方向にずれるよう設けた二本の連繋ベルトで連繋してなるものである。
【０００５】
　また、請求項２に記載の本考案は、一対の肩ベルトパーツの各先端部を、互いに重なり合って中央部分は水平方向にずれるよう設けた二本の連繋ベルトで連繋してなる肩ベルトであって、各連繋ベルトは、外側に湾曲形成するとともに、袋状となし、その内側にパッドを設けたことを特徴とするものである。
【０００６】
　また、請求項３に記載の本考案は、一本の肩ベルトパーツの、使用者の肩に掛かる部分に対応位置して、肩ベルトパーツと少なくとも両端部で重なり合って、中央部分では水平方向にずれるよう補助ベルトの両端を前記肩ベルトパーツに縫合してなるものである。
【考案の効果】
【０００７】
　請求項１に記載の本考案の肩ベルトは、使用者の肩先端部分が両連繋ベルトの間に割り込み、各連繋ベルトが上腕と肩に掛かる状態となるので、上腕と肩の二箇所で支持するので、肩からずれ落ちたり、荷重が肩に集中的にかかって使用者に苦痛を与えることがないという作用効果がある。
【０００８】
　請求項２に記載の本考案の肩ベルトは、使用者の肩先端部分が両連繋ベルトの間に割り込み、各連繋ベルトが上腕と肩に掛かる状態となるので、上腕と肩の二箇所で支持するので、肩からずれ落ちたり、荷重が肩に集中的にかかって使用者に苦痛を与えることがないとともに、連繋ベルト内側にパッドを設けたので、上腕や肩を強く圧迫しないという作用効果がある。
【０００９】
　請求項３に記載の本考案の肩ベルトは、使用者の肩の先端部分が、肩ベルトパーツと補助ベルトの間に割り込み、肩ベルトパーツと補助ベルトとが上腕と肩に掛かった状態となるので、肩からずれ落ちたり、荷重が肩に集中的にかかって使用者に苦痛を与えることがないとともに、肩ベルトパーツは、一本で構成されているので、強度的に優れているという作用効果がある。
【考案を実施するための最良の形態】
【００１０】
　次に、本考案を子守帯に適用した好適な実施形態を添付図面の図１〜図６に基づいて詳細に説明する。ここにおいて、図１は肩ベルトの部分平面図、図２は肩ベルトの部分正面図、図３は図１のＡ−Ａ線拡大断面図、図４は肩ベルトを適用した子守帯の正面図、図５は肩ベルトを保護者の左肩に掛けた子守帯の使用状態を示す斜視図、図６は肩ベルトを保護者の右肩に掛けた子守帯の使用状態を示す斜視図である。
【００１１】
　図１〜図３に示すように、肩ベルト１は、一対の肩ベルトパーツ２の各先端部に、保護者の肩先近傍の肩側に掛ける連繋ベルト３ａ両先端と、保護者の肩先近傍の上腕側に掛ける連繋ベルト３ｂ両先端とを重ね合わせ、この各重ね合わせ部分を縫合することによって連繋してなる。
【００１２】
　図１〜図３に示すように、各連繋ベルト３ａ，３ｂは、平面形状が湾曲し、かつ、扁平な袋状に形成し、それぞれの内側にはパッド４を挿入してある。また、前記各連繋ベルト３ａ，３ｂは、前記湾曲形状の突部側縁がそれぞれ外縁となるように、かつ、少なくともその中央部分で水平方向に移動しうるように配置し、連繋ベルト３ａの両端部を各肩ベルトパーツ２先端の上面側に、また連繋ベルト３ｂ端部を各肩ベルトパーツ２先端の下面側にそれぞれ重ね合わせて、縫合してある。
【００１３】
　図４に示すように、肩ベルト１を適用した子守帯５は、座らせた乳幼児の臀部、腰部、背部が当たる背当て部６と、この背当て部６の下縁部に設け、保護者のウェストに巻いて前記背当て部６の下縁部を保護者に固定するためのウェストベルト７と、前記背当て部６の上縁両端に各基端を縫合するとともに、前記肩ベルト１の両端に離脱可能かつ長さ調節可能に連結するための連結具８ａをそれぞれ先端に備えた一対の連結バンド８とからなる。なお、図４中、符号９はポケット口、符号１０は手荷物などを吊り下げるための係止用リングバンド、符号１１ａは前記ウェストベルト７の両先端に設けた雄係脱具、符号１１ｂは同じく前記雄係脱具１１ａに係脱する雌係脱具である。
【００１４】
　図５によって、保護者が左肩に肩ベルト１をかけて乳幼児を抱っこする子守帯５の使用方法を説明する。先ず、保護者は、肩ベルト１の両先端を、使用時に連結ベルト３ａが自身の左肩側になるように、背当て部６の各連結バンド８先端に連結した後に、自身のウェストにウェストベルト７を巻き、肩ベルト１を左肩に掛けてから、乳幼児を背当て部６に寝かせ、連結具８ａにより肩ベルト１の長さ調節をして安定させ、肩ベルト１の各連繋ベルト３間に肩先端を割り込ませ、各連繋ベルト３ａ，３ｂを肩先近傍の肩側と上腕側とに掛ける。このようにして乳幼児を抱っこすると、各連繋ベルト３ａ，３ｂが肩と上腕とに掛かっているので、荷重が分散されて肩に集中することがなく、また、肩ベルト１がずれ落ちることがない。
【００１５】
　図６によって、保護者が右肩（前記図５の場合とは逆の肩）に肩ベルト１をかけて乳幼児を抱っこする子守帯５の使用方法を説明する。保護者は、肩ベルト１の両先端を、使用時に連結ベルト３ａが自身の右肩側になるように、すなわち、前記左肩に掛ける場合に連結した肩ベルト１の各先端を逆にして、各連結バンド８先端に連結する。以下は、前記図５の場合とは左右が逆である点を除いて同様に乳幼児を抱っこをする。
【００１６】
　なお、本考案は、上記実施形態になんら限定されるものではなく、例えば、この肩ベルト１を適用するのは、肩ベルト１を斜め掛けに一方の肩に掛けて支持するものであれば、子守帯ではなく、バッグなどであってもよい。また、連繋ベルト３ａ，３ｂの一方を一本の肩ベルトパーツ２で兼用し、この肩ベルトパーツ２の使用者の肩に掛かる部分に対応位置して、連繋ベルト３ａ，３ｂの他方である補助ベルトの両端を、肩ベルトパーツ２に、この肩ベルトパーツ２と少なくとも両端部で重なり合って、中央部分では水平方向にずれるように、縫合して構成したものであってよい。
【図面の簡単な説明】
【００１７】
【図１】肩ベルトの部分平面図。
【図２】肩ベルトの部分正面図。
【図３】図１のＡ−Ａ線拡大断面図。
【図４】肩ベルトを適用した子守帯の斜視図。
【図５】肩ベルトを左肩に掛けた子守帯の使用状態を示す斜視図。
【図６】肩ベルトを右肩に掛けた子守帯の使用状態を示す斜視図。
【符号の説明】
【００１８】
　１　　肩ベルト
　２　　肩ベルトパーツ
　３ａ，３ｂ　　連繋ベルト
　４　　パッド
　５　　子守帯
　６　　背当て部
　７　　ウェストベルト
　８　　連結バンド
　８ａ　　連結具
　９　　ポケット口
　１０　　リング
　１１ａ　　雄係脱具
　１１ｂ　　雌係脱具
【図１】
0003099536.tif 000003
【図２】
0003099536.tif 000004
【図３】
0003099536.tif 000005
【図４】
0003099536.tif 000006
【図５】
0003099536.tif 000007
【図６】
0003099536.tif 000008